(57)【特許請求の範囲】
【請求項１】
最初を表す書類、本文を表す書類、及び最後を表す書類を少なくとも含むように書式が定められた一連の書類群からなる文書の全部又は一部を、マイクロフィルムにホログラム形式で記録する文書記録方法であって、
前記一連の書類群の全部又は一部を、前記マイクロフィルムの同じ領域に、物体光と参照光との干渉により得られた各書類のアナログ画像を再生するアナログホログラム形式で記録すると共に、信号光と参照光との干渉により得られた各書類の文書情報を明暗画像で表すデジタル画像を再生するデジタルホログラム形式で記録する、
文書記録方法。
【請求項２】
前記一連の書類群の全部又は一部を、前記マイクロフィルムの同じ領域に、ホログラム形式で多重記録する、
請求項１に記載の文書記録方法。
【請求項３】
前記最初を表す書類を、前記マイクロフィルムの第１領域にアナログ形式で記録すると共に、前記最後を表す書類を、前記マイクロフィルムの前記第１領域とは異なる第２領域にアナログ形式で記録し、
前記本文を表す書類の全部を、前記マイクロフィルムの前記第１領域と前記第２領域との間に在る第３領域にホログラム形式で多重記録する、
請求項１又は２に記載の文書記録方法。
【請求項４】
最初を表す書類、本文を表す書類、及び最後を表す書類を少なくとも含むように書式が定められた一連の書類群からなる文書の全部又は一部を、マイクロフィルムにホログラム形式で記録する文書記録装置であって、
コヒーレント光を射出する光源と、
前記光源から射出されたコヒーレント光を三光波に分岐する分岐手段と、
前記分岐手段により分岐された第１の光波を、アナログホログラム形式で記録する書類に照射して、反射物体光を生成する物体光生成手段と、
前記物体光生成手段により生成された反射物体光の光路を調整して、前記マイクロフィルムに照射する物体光照射手段と、
前記分岐手段により分岐された第２の光波の光路を調整して、該光波を参照光として、前記マイクロフィルムの前記反射物体光が照射される位置に、前記反射物体光と同時に照射する参照光照射手段と、
多数の画素を用いてデジタルホログラム形式で記録する書類の文書情報を明暗画像で表すデジタル画像を表示し、表示されたデジタル画像に応じて入射光を画素毎に変調する空間光変調器を備え、前記分岐手段により分岐された第３の光波を、前記空間光変調器に入射させ、前記空間光変調器に表示されたデジタル画像に応じて変調して、信号光を生成する信号光生成手段と、
前記信号光生成手段により生成された信号光の光路を調整して、前記マイクロフィルムの前記反射物体光が照射される位置に、前記参照光と同時に照射する信号光照射手段と、
を備えることを特徴とする文書記録装置。
【発明の詳細な説明】
【技術分野】
【０００１】
本発明は、文書記録方法及び装置に関する。
【背景技術】
【０００２】
従来、公文書の保管など文書の長期保存には、マイクロフィルムやマイクロフィッシュ（以下、「マイクロフィルム等」という。）と称される記録媒体が利用されてきた。マイクロフィルム等には、通常、保存性に優れた銀塩感光材料が使用されるため、文書を記録したマイクロフィルム（以下、「マイクロフィルム文書」という。）は、１００年以上の長期保存が可能である。
【０００３】
また、マイクロフィルム等には、文書に含まれる各書類（ページ）の縮小画像（通常は、ポジ画像）が、アナログ形式で１本のフィルム又は１枚のシートに、書類毎にコマ番号を付与する等して順番に記録されている。マイクロフィルム文書から文書情報を読み出す場合には、コマ番号で閲覧文書及び閲覧ページを特定し、記録された縮小画像を光学的に拡大してディスプレイに表示する。
【０００４】
マイクロフィルム文書には、光学的に拡大して判読できる見読性があり、改ざんが原理的に防止できる等の利点がある。現実に、マイクロフィルム文書は、情報をありのまま再現する特性や、ＪＩＳ、ＩＳＯ等で書式が国際的に規格化、標準化されていて信頼性が高い等の理由により、原本と同等の法的証拠能力（証拠性）を持っていることが、国内外の判例で実証されている。
【０００５】
例えば、マイクロフィルムを用いた公文書の記録保存では、文書の真正性を確保するために、保存したい文書（本文を表す書類）の前後に、分解能チャート、撮影依頼書、件名、内容、及び撮影証明書などを配置し、これらで本文を挟み込んで、マイクロフィルムに記録する。このように、最初を表す書類、本文を表す書類、及び最後を表す書類を少なくとも含むように書式を定めることで、フィルムが切り貼りされてさえいなければ、一連の書類群からなる文書の証拠性が確保される。
【０００６】
しかしながら、マイクロフィルム等は、文書の各書類の画像を縮小して記録するだけであり、記録容量には限界がある。例えば、標準的に利用されているマイクロフィルムは、幅が１６ｍｍで長さが６６ｍのロールフィルムであり、これに４０分の１の縮小で各ページを撮影して記録したとしても、フィルム１巻に約６０００枚の書類しか記録できない。また、マイクロフィルム文書は、文書情報がアナログ形式で記録されているため、キーワード検索ができない等、検索性の点でも使い勝手の悪さが指摘されている。
【０００７】
一方、近年では、紙文書、マイクロフィルム文書等、アナログ形式で記録された文書情報の電子化（デジタル化）が進められている。電子化によるメリットとしては、１）電子化データによれば、紙文書、マイクロフィルム文書、電子文書など種々の文書情報を統合管理できる、２）企業間での文書情報の変換・流通がスムーズに行える、３）マイクロフィルム文書の文書情報を手元のパソコンでデータとして有効活用できる、等がある。
【０００８】
しかしながら、電子化によって文書の証拠性が失われるという大きな問題が生じる。アナログ形式で記録された文書情報は、アナログであるがゆえに高い証拠性を有している。この文書情報を一度デジタル化してしまうと、改ざんが容易になり、結果として証拠性を失うことになる。即ち、「デジタルの利便性」と「アナログの証拠性」とを両立することは困難である。
【０００９】
例えば、デジタル形式で保存された文書情報をアナログ形式に変換し、アナログ形式の文書情報を、フィルム等の長期保存が可能なアナログメディアに書き込む「長期間の文書保存のための方法及び装置」が提案されている（特許文献１を参照）。この技術では、文書情報は、デジタル形式で保存された後に、アナログ形式に再変換されるので、電子化（デジタル化）によって文書の証拠性が既に失われている。
【００１０】
【特許文献１】特開２００２−２０２９０３号公報
【発明の開示】
【発明が解決しようとする課題】
【００１１】
本発明は、書式が定められた一連の書類群の全部又は一部を、マイクロフィルムにホログラム形式で記録することにより、文書の真正性を損なうことなく、アナログ形式で記録する場合に比べ大容量の文書情報を、長期間にわたり記録保存することができる、文書記録方法及び装置を提供することを目的とする。
【課題を解決するための手段】
【００１２】
上記目的を達成するために請求項１に記載の発明は、最初を表す書類、本文を表す書類、及び最後を表す書類を少なくとも含むように書式が定められた一連の書類群からなる文書の全部又は一部を、マイクロフィルムにホログラム形式で記録する文書記録方法であって、前記一連の書類群の全部又は一部を、前記マイクロフィルムの同じ領域に、物体光と参照光との干渉により得られた各書類のアナログ画像を再生するアナログホログラム形式で記録すると共に、信号光と参照光との干渉により得られた各書類の文書情報を明暗画像で表すデジタル画像を再生するデジタルホログラム形式で記録することを特徴とする。
【００１３】
請求項２に記載の発明は、請求項１に記載の文書記録方法において、前記一連の書類群の全部又は一部を、前記マイクロフィルムの同じ領域に、ホログラム形式で多重記録する、ことを特徴とする。
【００１４】
請求項３に記載の発明は、請求項１又は２に記載の文書記録方法において、前記最初を表す書類を、前記マイクロフィルムの第１領域にアナログ形式で記録すると共に、前記最後を表す書類を、前記マイクロフィルムの前記第１領域とは異なる第２領域にアナログ形式で記録し、前記本文を表す書類の全部を、前記マイクロフィルムの前記第１領域と前記第２領域との間に在る第３領域にホログラム形式で多重記録する、ことを特徴とする。
【００１９】
請求項４に記載の発明は、最初を表す書類、本文を表す書類、及び最後を表す書類を少なくとも含むように書式が定められた一連の書類群からなる文書の全部又は一部を、マイクロフィルムにホログラム形式で記録する文書記録装置であって、コヒーレント光を射出する光源と、前記光源から射出されたコヒーレント光を三光波に分岐する分岐手段と、前記分岐手段により分岐された第１の光波を、アナログホログラム形式で記録する書類に照射して、反射物体光を生成する物体光生成手段と、前記物体光生成手段により生成された反射物体光の光路を調整して、前記マイクロフィルムに照射する物体光照射手段と、前記分岐手段により分岐された第２の光波の光路を調整して、該光波を参照光として、前記マイクロフィルムの前記反射物体光が照射される位置に、前記反射物体光と同時に照射する参照光照射手段と、多数の画素を用いてデジタルホログラム形式で記録する書類の文書情報を明暗画像で表すデジタル画像を表示し、表示されたデジタル画像に応じて入射光を画素毎に変調する空間光変調器を備え、前記分岐手段により分岐された第３の光波を、前記空間光変調器に入射させ、前記空間光変調器に表示されたデジタル画像に応じて変調して、信号光を生成する信号光生成手段と、前記信号光生成手段により生成された信号光の光路を調整して、前記マイクロフィルムの前記反射物体光が照射される位置に、前記参照光と同時に照射する信号光照射手段と、を備えることを特徴とする。
【発明の効果】
【００２０】
本発明の各請求項に係る発明は、各々以下の効果を有する。
【００２１】
請求項１に記載の発明によれば、書式が定められた一連の書類群の全部又は一部を、マイクロフィルムにホログラム形式で記録することにより、文書の真正性を損なうことなく（改ざんを防止して証拠性を確保し）、アナログ形式で記録する場合と比較して大容量の文書情報を、長期間にわたり記録保存することができる、という効果がある。
【００２２】
請求項２に記載の発明によれば、マイクロフィルムの同じ領域にホログラム形式で多重記録することで、更に改ざんを困難なものとすると共に、マイクロフィルムの記録容量が増大する、という効果がある。
【００２３】
請求項３に記載の発明によれば、証拠性を確保するための文書情報が、マイクロフィルムにアナログ形式で記録されているので、見読性の観点から更に改ざんが困難になる、という効果がある。
【００２４】
請求項４に記載の発明によれば、各書類の文書情報が、マイクロフィルムに記録されたアナログホログラムから、アナログ画像として再生されるので、改ざんを防止して証拠性を確保することが容易になる、という効果がある。
【００２５】
請求項５に記載の発明によれば、各書類の文書情報が、マイクロフィルムに記録されたアナログホログラムからアナログ画像として再生されるので、改ざんを防止して証拠性を確保することが容易になる、という効果がある。同時に、各書類の文書情報が、マイクロフィルムに記録されたデジタルホログラムからデジタル画像として再生されるので、デジタル画像を復号することでデジタルデータを得ることができ、デジタルの利便性を享受できる、という効果もある。即ち、「デジタルの利便性」と「アナログの証拠性」とを両立することが可能になる。
【００２６】
請求項６〜８の何れか１項に記載の発明によれば、書式が定められた一連の書類群の全部又は一部を、マイクロフィルムにホログラム形式で記録することにより、文書の真正性を損なうことなく（改ざんを防止して証拠性を確保し）、アナログ形式で記録する場合と比較して大容量の文書情報を、長期間にわたり記録保存することができる、という効果がある。
【００２７】
特に、請求項６に記載の発明によれば、各書類の文書情報が、アナログ画像として再生されるアナログホログラムを記録できるので、改ざんを防止して証拠性を確保することが容易になる、という効果がある。
【００２８】
また、請求項７に記載の発明によれば、各書類の文書情報が、デジタル画像として再生されるデジタルホログラムを記録できるので、再生されたデジタル画像を復号することでデジタルデータを得ることができ、デジタルの利便性を享受できる、という効果がある。
【００２９】
また、請求項８に記載の発明によれば、各書類の文書情報が、アナログ画像として再生されるアナログホログラムを記録できるので、改ざんを防止して証拠性を確保することが容易になる、という効果があると同時に、各書類の文書情報が、デジタル画像として再生されるデジタルホログラムを記録できるので、再生されたデジタル画像を復号することでデジタルデータを得ることができ、デジタルの利便性を享受できる、という効果もある。即ち、「デジタルの利便性」と「アナログの証拠性」とを両立することが可能になる。
【発明を実施するための最良の形態】
【００３０】
以下、図面を参照して本発明の実施の形態の一例を詳細に説明する。
（マイクロフィルム）
マイクロフィルムは、紙文書等の情報を縮小撮影して記録するための写真フィルムである。縮小撮影するために、一般の写真フィルムと比較して高い解像力を備えており、より小さな面積に多くの情報を記録することが可能である。マイクロフィルムは、少なくとも、フィルム状の支持体と、この支持体上に形成された感光記録層と、を含んで構成されている。フィルム状の支持体としては、一般に、トリアセチルセルロース（ＴＡＣ）、ポリエチレンテレフタレート（ＰＥＴ）等の透明な樹脂フィルムが使用されている。
【００３１】
また、感光記録層には、通常は、写真フィルム用の感光材料が使用されている。本発明では、マイクロフィルムにホログラムを記録する。従って、マイクロフィルムの感光記録層に用いられる感光材料は、ホログラムが記録できればどのような感光材料でも構わないが、保存性に優れる銀塩感光材料が好適である。ハロゲン化銀乳剤等の銀塩感光材料を用いたマイクロフィルムでは、１００年以上の長期間の保存性が保証される。
【００３２】
図１（Ａ）〜（Ｃ）はマイクロフィルムの種々の形態を示す図である。マイクロフィルムには、大きく分けて、ロール状のロールフィルムと、シート状のシートフィルムとがある。図１（Ａ）及び（Ｂ）はロールフィルムの一例を示す図であり、図１（Ｃ）はシートフィルムの一形態であるマイクロフィッシュの一例を示す図である。
【００３３】
図１（Ａ）に示すように、ロールフィルム１０は、帯状のフィルム１２を備えている。帯状のフィルム１２は、一端がリール１４に固定され、リール１４に巻き付けられている。なお、帯状のフィルム１２の他端１２Ａは、開放端とされている。図１（Ｂ）に示すように、フィルム１２には、記録領域であるコマ１６が、フィルムの長さ方向に沿って多数配列されている。また、コマ１６の各々には、第何番目のコマかを表すコマ番号１８が付与されている。
【００３４】
この例では、フィルム１２の他端１２Ａ側から配列された、６個のコマ１６１〜１６６が図示されている。コマ１６１〜１６６の各々の下方には、コマ番号１８１〜１８６が記録されている。例えば、最初のコマ１６１のコマ番号１８１は「Ａ０１」であり、第３番目のコマ１６３のコマ番号１８３は「Ａ０３」である。マイクロフィルムに文書情報を記録した後は、このコマ番号１８から文書情報を記録したコマ（領域）１６を特定する。
【００３５】
また、図１（Ｃ）に示すように、マイクロフィッシュ２０は、シート状のフィルム１２Ｂを備えている。シート状のフィルム１２Ｂは、平面視が矩形状のフィルムである。フィルム１２Ｂには、記録領域であるコマ１６が、マトリクス状に多数配列されている。また、コマ１６の各々には、第何番目のコマかを表すコマ番号１８が付与されている。フィルム１２Ｂの上部には、記録した文書の表題や記録した日付等のインデックス情報を記録する見出し欄２２が配置されている。
【００３６】
この例では、マイクロフィッシュ２０のフィルム１２Ｂには、１５個のコマ１６１〜１６１５が図示されている。１５個のコマ１６１〜１６１５は、３行５列のマトリクス状に配列されている。コマ１６１〜１６１５の各々の下方には、コマ番号１８１〜１８１５が記録されている。例えば、最初のコマ１６１のコマ番号１８１は「Ａ０１」であり、第１５番目のコマ１６１５のコマ番号１８１５は「Ａ１５」である。また、見出し欄２２には、「ＡＢＣ・・・ＸＹＺ」という見出しが記録されている。
【００３７】
標準的に利用されているロールフィルムは、幅が１６ｍｍで長さが６６ｍである。このロールフィルムにアナログ形式で文書情報を記録する場合には、４０分の１の縮小率で、フィルム１巻に約６０００枚の書類を記録することが可能である。また、標準的に利用されているマイクロフィッシュは、Ａ６版程度の大きさであり、６０コマ用、９８コマ用、２４４コマ用、２７０コマ用がある。
【００３８】
図２はマイクロフィルムの記録領域の構造を示す図である。ここでは、図１（Ａ）に示すロールフィルム１０について、第１番目の記録領域であるコマ１６１の詳細な構造を図示している。従来は、マイクロフィルムの１コマに、１ページ分の縮小画像をアナログ形式で記録していた。本発明ではマイクロフィルムに文書情報をホログラム形式で記録する。文書情報をホログラム形式で記録する場合には、アナログ形式で記録する場合よりも記録領域の面積を小さくでき、マイクロフィルムの記録容量が増加する。画像をそのまま結像させるフレネルホログラムを、レンズでフーリエ変換して記録するフーリエ変換ホログラムとすれば、レンズで集光することで記録領域の面積をより小さくできる。
【００３９】
従って、文書情報をホログラム形式で記録する場合には、１コマを複数のセクターに分割し、セクター毎に異なる文書情報を記録することができる。隣接するセクター間に仕切り線を設けるなど、光学的に区別できる方法で１コマが複数のセクターに分割される。
【００４０】
また、文書情報をホログラム形式で記録する場合には、１個のセクターに複数枚分の書類の文書情報を多重記録することができる。例えば、書類毎に参照光の入射角度を変えて、まったく同じ場所に一連の書類群を角度多重記録することができる。あるいは、書類１枚分のホログラムを記録した後にわずかにフィルムを移動させて、ほとんど前の書類のホログラムと重なるように次の書類のホログラムを記録する、シフト多重記録を実施することもできる。
【００４１】
この例では、フィルム１２の第１番目の記録領域であるコマ１６１は、境界線により、１２個のセクター２４１〜２４１２に分割されている。１２個のセクター２４１〜２４１２は、４行３列のマトリクス状に配列されている。例えば、複数枚分の書類の文書情報を、コマ１６１の３行２列目のセクター２４８（白抜きで表示した領域）に、ホログラムで多重記録することができる。上述した通り、角度多重記録やシフト多重記録等の多重記録方法を用いることができる。なお、セクター２４１〜２４１２の各々を特に区別する必要が無い場合は、セクター２４と総称する。
【００４２】
図３（Ａ）〜（Ｃ）はマイクロフィルム文書の書式の一例を示す図である。マイクロフィルム文書は、原本と同等の法的証拠能力（証拠性）を保証するために、ＪＩＳ、ＩＳＯ等で書式が国際的に規格化、標準化されている。例えば、社団法人日本画像情報マネジメント協会が定めたマイクロフィルム文書取扱規定では、「マイクロフィルム文書」とは、紙文書等の元の文書を撮影したマイクロフィルムであって、マスターフィルム文書及び活用フィルムをいう、と定義されている。
【００４３】
ここで、「マスターフィルム文書」とは、法的証拠能力を保持したマイクロフィルムで、保存及び活用フィルム文書の複製等のため、管理責任者により保管されるマイクロフィルムをいう。また、「活用フィルム」とは、マスターフィルム文書を複製したマイクロフィルムであって、管理責任者が保管するマイクロフィルムをいう。
【００４４】
上記のマイクロフィルム文書取扱規定では、マイクロフィルム文書の書式は、最初を表す書類、本文を表す書類、及び最後を表す書類を少なくとも含むように定められている。例えば、マイクロフィルム文書が、１本のロールフィルムで完結する場合には、図３（Ａ）に示すように、本文を表す書類２６の前に最初を表す書類２８が配置され、本文を表す書類２６の後に最後を表す書類３０が配置される。このような書式を採用することで、フィルムが切り貼りされていない限り、マイクロフィルム文書の証拠性が保証される。
【００４５】
最初を表す書類２８には、開始表示（開０００１）２８Ａ、分解能チャート（マイクロ写真解像力試験図票）２８Ｂ、撮影依頼票（マイクロ写真撮影依頼票）２８Ｃ、及び件名と内容２８Ｄの各書類が含まれる。最後を表す書類３０には、撮影証明書（マイクロ写真撮影証明書）３０Ａ、分解能チャート（マイクロ写真解像力試験図票）３０Ｂ、及び終了表示（終）３０Ｃの各書類が含まれる。図３（Ｂ）は、上記の撮影依頼票２８Ｃの具体例を示す図であり、図３（Ｃ）は、上記の撮影証明書３０Ａの具体例を示す図である。
【００４６】
以下では、上記のように書式が定められた一連の書類群からなる文書の全部又は一部を、書類の画像を縮小して記録するアナログ形式ではなく、物体光と参照光の干渉により得られるホログラム形式でマイクロフィルムに記録して、マイクロフィルム文書を作成する文書記録方法及び装置を具体的に説明する。なお、以下では、ロールフィルム１０を用いる場合を図示し、マイクロフィルム１０と言い換える。
【００４７】
ホログラムは二光波の干渉縞を記録したものであり、破壊はできても意図的な改ざんは困難である。特に、多重記録されたホログラム群の一部（例えば、特定の書面に対応するホログラム）を、意図的に改ざんすることは不可能である。従って、書式が定められた一連の書類群の全部又は一部を、マイクロフィルムにホログラム形式で記録することにより、文書の真正性を損なうことなく（改ざんを防止して証拠性を確保し）、アナログ形式で記録する場合と比較して大容量の文書情報を、長期間にわたり記録保存することが可能となる。
【００４８】
（第１の実施の形態）
第１の実施の形態では、図４に示すように、マイクロフィルム文書用に書式が定められた一連の書類群の全部（最初を表す書類２８、本文を表す書類２６、及び最後を表す書類３０）を、アナログホログラムの形式で、マイクロフィルム１０の同じセクター２４に多重記録する例について説明する。ここで、「アナログホログラム」とは、記録する書類に光を照射して得られた反射物体光と、参照光との干渉により記録されるホログラムである。マイクロフィルムにホログラム形式で記録することにより、アナログ形式で記録する場合と比較して、マイクロフィルムの記録容量が増大する。
【００４９】
アナログホログラムに、記録時と同じ参照光を読出し光として照射すると、アナログホログラムから、反射物体光が再生される。再生された反射物体光を集光すると、記録した書類のアナログ画像が結像する。即ち、アナログホログラムの形式で記録すると、アナログ画像が再生される。アナログホログラムは、言わば、書類のホログラムを直接撮影して記録したものであり、改ざんを防止して証拠性を確保することが容易になる。
【００５０】
図５は第１の実施の形態に係る文書記録装置の構成を示す概略図である。
この文書記録装置には、コヒーレント光であるレーザ光を発振する光源３２が設けられている。光源３２としては、例えば、発振波長が５３２ｎｍの緑色レーザ光を発振するレーザ光源が用いられる。また、文書記録装置には、文書記録装置の各部を制御する制御部５１が設けられている。光源３２は、制御部５１に接続されたレーザ駆動部５３により駆動される。光源３２の光射出側には、特定波長の直交する直線偏光成分間に所定の光路差（位相差）を与える波長板３４、所定の偏光方向の光を反射し且つこれと直交する偏光方向の光を透過する偏光ビームスプリッタ３６が、光源３２側から光路に沿ってこの順に配置されている。
【００５１】
偏光ビームスプリッタ３６の光反射側には、反射ミラー４０が配置されている。反射ミラー４０の光反射側には、光路に対し挿入又は退避（開閉）が可能なシャッター４２及び拡大・コリメート光学系であるビームエキスパンダ４４が、反射ミラー４０側から光路に沿ってこの順に配置されている。シャッター４２は、制御部５１に接続されたシャッター駆動部５５により駆動されて開閉する（矢印Ａ方向に移動する）。
【００５２】
ビームエキスパンダ４４の光射出側には、紙文書等、撮影される原文書の書類を保持する書類保持部４６が設けられている。原文書の書類は、図示しない紙送り機構により１枚ずつ搬送されて、順次、書類保持部４６に保持される。ビームエキスパンダ４４から射出された光は、書類保持部４６に保持された書類（例えば、図３（Ｃ）に示す撮影証明書３０Ａ）全体に照射される。書類保持部４６に保持された書類からは、物体光が反射又は散乱される（反射物体光）。反射物体光の射出側には、フィルム保持部５０に保持されたマイクロフィルム１０の所定位置（セクター２４）に、反射物体光をフーリエ変換して集光するフーリエ変換レンズ４８が配置されている。
【００５３】
偏光ビームスプリッタ３６の光透過側には、波長板３８、所定の軸周りに回転する回転ミラー５２及び一対のリレーレンズ５４、５６が配置されている。回転ミラー５２は、制御部５１に接続されたミラー駆動部５８により駆動されて回転する（矢印Ｂ方向に回転する）。一対のリレーレンズ５４、５６は、回転ミラー５２で反射された光をリレーして、参照光としてフィルム保持部５０に保持されたマイクロフィルム１０の所定位置（セクター２４）に照射する。
【００５４】
次に、図５に示す文書記録装置の記録動作について説明する。
ホログラムを記録する場合には、シャッター４２を開いて、光源３２からレーザ光を照射する。光源３２から発振されたレーザ光は、波長板３４により偏光方向が調整され、偏光ビームスプリッタ３６に入射して分岐される。偏光ビームスプリッタ３６で反射された光は、反射ミラー４０で反射される。
【００５５】
反射ミラー４０で反射され、光路が折り曲げられた光は、シャッター４２を通過し、ビームエキスパンダ４４により大径の平行光に変換され、書類保持部４６に保持された書類全体に照射される。書類保持部４６に保持された書類からは、物体光が反射又は散乱される（反射物体光）。反射物体光はフーリエ変換レンズ４８によりフーリエ変換されて集光され、フィルム保持部５０に保持されたマイクロフィルム１０の所定位置（セクター２４）に照射される。
【００５６】
一方、偏光ビームスプリッタ３６を透過した光は、波長板３８により偏光方向が調整され、回転ミラー５２によって、回転ミラー５２の回転角度に応じた所定方向に反射される。回転ミラー５２で反射された光は、一対のリレーレンズ５４、５６によりリレーされて、フィルム保持部５０に保持されたマイクロフィルム１０の所定位置（セクター２４）に、参照光として照射される。参照光は反射物体光と同時に所定位置（セクター２４）に照射される。反射物体光と参照光とが照射される位置において、反射物体光と参照光とが干渉して形成された干渉縞が、アナログホログラムとして記録される。
【００５７】
例えば、偏光ビームスプリッタ３６をＳ偏光を反射し且つＰ偏光を透過する構成とした場合には、波長板３４によりレーザ光の偏光方向が制御され、偏光ビームスプリッタ３６で２つの光路に分岐される。偏光ビームスプリッタ３６で反射された（Ｓ偏光）は、反射ミラー４０に進み、Ｓ偏光の反射物体光がセクター２４に照射される。一方、偏光ビームスプリッタ３６を透過した光（Ｐ偏光）は、波長板３８によってＳ偏光に変換され、Ｓ偏光の参照光がセクター２４に照射される。このとき、波長板３４での偏光方向の調整により、参照光と反射物体光の強度比が調整される。
【００５８】
本実施の形態では、上述したように、一連の書類群の全部（最初を表す書類２８、本文を表す書類２６、及び最後を表す書類３０）を撮影し、アナログホログラムの形式で、マイクロフィルム１０の同じセクター２４に、１枚ずつ順次記録する（図４参照）。撮影される原文書の書類を、図示しない紙送り機構により１枚ずつ搬送して、順次、書類保持部４６に保持し、書類毎に反射物体光と参照光とを干渉させて、書類毎にアナログホログラムを記録する。例えば、回転ミラー５２を回転させて、書類毎に参照光の入射角度を変えることで、マイクロフィルム１０の同じ記録領域（例えば、セクター２４）に、一連の書類群の全部を角度多重記録することができる。
【００５９】
記録されたデータを読み出す場合（再生）には、図６に示したように、マイクロフィルム１０の光透過側に、フーリエ変換レンズ６０と、ＣＣＤやＣＭＯＳアレイ等の撮像素子で構成されたセンサアレイ６２を配置し、シャッター４２を閉じて光源３２からレーザ光を照射する。光源３２から発振されたレーザ光は、波長板３４により偏光方向が調整されて、偏光ビームスプリッタ３６に入射する。このとき、波長板３４を適宜調整し、参照光光路に総ての光を導くようにしたり、或いは適切な参照光強度に設定したりする。
【００６０】
偏光ビームスプリッタ３６を透過した光（Ｐ偏光）は、波長板３８でＳ偏光に変換され、回転ミラー５２によって、回転ミラー５２の回転角度に応じた所定方向に反射される。回転ミラー５２で反射された光は、一対のリレーレンズ５４、５６によりリレーされて、フィルム保持部５０に保持されたマイクロフィルム１０の記録領域に、読み出し用の参照光として照射される。再生時にはシャッター４２を光路上に挿入することで、偏光ビームスプリッタ３６で反射された光があった場合にも、参照光だけをマイクロフィルム１０の記録領域（セクター２４）に照射することができる。
【００６１】
照射された参照光は、マイクロフィルム１０の記録領域を透過するときに、記録されたホログラムによって回折され、透過回折光がフーリエ変換レンズ６０側に射出される。透過回折光は、フーリエ変換レンズ６０により逆フーリエ変換されて、反射物体光が再生され、再生された反射物体光がセンサアレイ６２に入射する。センサアレイ６２の表面には、反射物体光が集光されて、書類のアナログ画像が結像される。センサアレイ６２は、受光した光を電気信号に変換して出力する。この結果、書類のアナログ画像が撮像される。
【００６２】
マイクロフィルム１０の記録領域（セクター２４）に、複数枚分の書類のアナログホログラムが多重記録されている場合には、読み出したい書類（例えば、撮影証明書３０Ａ）のアナログホログラムを記録したときと同じ参照光を照射する。例えば、複数枚分の書類のアナログホログラムが角度多重記録されている場合には、回転ミラー５２の回転角度を調節して、撮影証明書３０Ａのアナログホログラムを記録したときと同じ入射角度で、マイクロフィルム１０の記録領域に参照光を照射する。これにより、撮影証明書３０Ａのアナログ画像が再生される。
【００６３】
なお、上記の第１の実施の形態では、一連の書類群の全部（最初を表す書類２８、本文を表す書類２６、及び最後を表す書類３０）を、アナログホログラムの形式で、マイクロフィルム１０の同じセクター２４に多重記録する例について説明したが、図７に示すように、一連の書類群の一部（最初を表す書類２８及び最後を表す書類３０）を、従来通り、書類の画像を縮小して記録するアナログ形式で、マイクロフィルム１０に記録してもよい。アナログ形式では、コマ１６毎に１枚の書類を記録する。
【００６４】
そして、本文を表す書類２６だけを、最初を表す書類２８のコマと、最後を表す書類３０を表すコマとの間にある、マイクロフィルム１０の同じ記録領域（セクター２４）に、アナログホログラムの形式で多重記録することができる。例えば、図７に示すように、最初を表す書類２８をコマ１６１〜１６４にアナログ形式で記録し、最後を表す書類３０をコマ１６n-2〜１６nにアナログ形式で記録し、コマ１６４とコマ１６n-2との間に挟まれたコマ１６５〜１６n-3の何れかに存在するセクター２４に、本文を表す書類２６（複数枚分の書類）を、アナログホログラムの形式で多重記録することができる。
【００６５】
マイクロフィルム文書の証拠性を確保するために付加される書類（最初を表す書類２８及び最後を表す書類３０）を、直接判読できるアナログ形式でマイクロフィルム１０に記録することで、見読性の観点から更に改ざんが困難になる。また、本文を表す書類２６を、アナログホログラムの形式で、マイクロフィルム１０の同じセクター２４に多重記録するので、改ざんを防止して証拠性を確保し、アナログ形式で記録する場合と比較して大容量の文書情報を、長期間にわたり記録保存することが可能となる。
【００６６】
（第２の実施の形態）
第２の実施の形態では、図８に示すように、マイクロフィルム文書用に書式が定められた一連の書類群の全部（最初を表す書類２８、本文を表す書類２６、及び最後を表す書類３０）を、書類毎に、アナログホログラムの形式及びデジタルホログラムの形式で、マイクロフィルム１０の同じセクター２４に多重記録する例について説明する。
【００６７】
ここで、「デジタルホログラム」とは、記録する書類の文書情報を（二次元符号化した）明暗画像で表すデジタル画像に応じて変調された信号光と、参照光との干渉により記録されるホログラムである。デジタル画像としては、デジタルデータに対応して二次元にビット情報を配置したデジタル画像、デジタルデータに対応した二次元バーコード等が挙げられる。マイクロフィルムにホログラム形式で記録することにより、アナログ形式で記録する場合と比較して、マイクロフィルムの記録容量が増大する点は、第１の実施の形態と同様である。
【００６８】
デジタルホログラムに、記録時と同じ参照光を読出し光として照射すると、デジタルホログラムから、信号光が再生される。再生された信号光を集光すると、記録した書類のデジタル画像が結像する。即ち、デジタルホログラムの形式で記録すると、デジタル画像が再生される。デジタル画像はデジタルデータ（電子化された書類の文書情報）に復号される。これにより、文書情報の統合管理、文書情報の交換・流通、文書情報の有効活用、検索性など、デジタルの利便性を享受できる。このように、同じ書類については、書類のアナログ画像を再生すると共に、書類のデジタルデータを再生するように、アナログホログラムとデジタルホログラムの両方を関連付けて記録することで、「デジタルの利便性」と「アナログの証拠性」とを両立することが可能になる。
【００６９】
図９は第２の実施の形態に係る文書記録装置の構成を示す概略図である。
この文書記録装置には、コヒーレント光であるレーザ光を発振する光源６０が設けられている。光源６０としては、例えば、発振波長が５３２ｎｍの緑色レーザ光を発振するレーザ光源が用いられる。また、文書記録装置には、文書記録装置の各部を制御する制御部９８及び各種データを記憶するための記憶部１０６が設けられている。制御部９８は、例えば、ＣＰＵ、ＲＯＭ、ＲＡＭを備えたマイクロコンピュータ等で構成することができる。記憶部１０６は、外部記憶装置として設けられたハードディスク装置（ＨＤＤ）等で構成することができる。制御部９８と記憶部１０６とは、データの授受が可能に接続されている。
【００７０】
光源６０は、制御部９８に接続されたレーザ駆動部１００により駆動される。光源６０の光射出側には、特定波長の直交する直線偏光成分間に所定の光路差（位相差）を与える波長板６２、所定の偏光方向の光を反射し且つこれと直交する偏光方向の光を透過する偏光ビームスプリッタ６４が、光源６０側から光路に沿ってこの順に配置されている。
【００７１】
偏光ビームスプリッタ６４の光透過側には、拡大・コリメート光学系であるビームエキスパンダ６６、光路に対し挿入又は退避（開閉）が可能なシャッター６８、及び二次元状に配列された画素毎に入射光を変調する透過型の空間光変調器７０が、偏光ビームスプリッタ６４側から光路に沿ってこの順に配置されている。シャッター６８は、制御部９８に接続されたシャッター駆動部１０２により駆動されて開閉する（矢印Ｃ方向に移動する）。
【００７２】
空間光変調器７０は、パターン発生器（図示せず）を介して制御部９８に接続されている。パターン発生器は、制御部９８から供給されたデジタルデータに応じて、空間光変調器７０に表示するパターンを生成する。空間光変調器７０は、表示パターンに応じて入射したレーザ光を変調して信号光を生成する。空間光変調器７０の光透過側には、フィルム保持部７４に保持されたマイクロフィルム１０の所定位置（セクター２４）に、空間光変調器７０で生成された信号光を、フーリエ変換して集光するフーリエ変換レンズ７２が配置されている。
【００７３】
後述する書類保持部８８の近傍には、書類保持部８８に保持された書類の画像を読み取るスキャナ等から構成された画像読取部１０８が設けられている。例えば、画像読取部１０８で書類の画像を読み取った後に、書類保持部８８に書類を供給するように、画像読取部１０８を、書類の搬送方向に対し、書類保持部８８の上流側に設けることができる。画像読取部１０８は、制御部９８に接続されている。画像読取部１０８で読み取られた画像データは、制御部９８でデジタルデータに変換され、書類のデジタルデータが記憶部１０６に記憶される。書類のデジタルデータは、書類を識別するための識別コード（例えば、文書ＩＤや書類ＩＤ等）と関連付けて記憶部１０６に記憶される。
【００７４】
記憶部１０６に記憶された書類のデジタルデータは、書類のデジタルホログラムを記録する時に、制御部９８により読み出され、パターン発生器に供給される。例えば、図３（Ｃ）に示す撮影証明書３０Ａのデジタルホログラムを記録する時には、撮影証明書３０Ａのデジタルデータ（書類の文書情報）から、デジタルデータを明暗画像で表す表示パターン（デジタル画像）７０Ａが生成され、空間光変調器７０には表示パターン７０Ａが表示される。
【００７５】
偏光ビームスプリッタ６４の光反射側には、波長板７６及び偏光ビームスプリッタ７８が、偏光ビームスプリッタ６４側から光路に沿ってこの順に配置されている。偏光ビームスプリッタ７８の光反射側には、所定の軸周りに回転する回転ミラー９２及び一対のリレーレンズ９４、９６が、偏光ビームスプリッタ７８側から光路に沿ってこの順に配置されている。回転ミラー９２は、制御部９８に接続されたミラー駆動部１０４により駆動されて回転する（矢印Ｂ方向に回転する）。一対のリレーレンズ９４、９６は、回転ミラー９２で反射された光をリレーして、参照光としてフィルム保持部７４に保持されたマイクロフィルム１０の所定位置（セクター２４）に照射する。
【００７６】
偏光ビームスプリッタ７８の光透過側には、波長板８０及び反射ミラー８２が、偏光ビームスプリッタ７８側から光路に沿ってこの順に配置されている。反射ミラー８２の光反射側には、シャッター８４及び拡大・コリメート光学系であるビームエキスパンダ８６が、反射ミラー８２側から光路に沿ってこの順に配置されている。シャッター８４は、制御部９８に接続されたシャッター駆動部１０２により駆動されて開閉する（矢印Ａ方向に移動する）。
【００７７】
ビームエキスパンダ８６の光射出側には、紙文書等、撮影される原文書の書類を保持する書類保持部８８が設けられている。原文書の書類は、図示しない紙送り機構により１枚ずつ搬送されて、順次、書類保持部８８に保持される。ビームエキスパンダ８６から射出された光は、書類保持部８８に保持された書類（例えば、図３（Ｃ）に示す撮影証明書３０Ａ）全体に照射される。書類保持部８８に保持された書類からは、物体光が反射又は散乱される（反射物体光）。反射物体光の射出側には、フィルム保持部７４に保持されたマイクロフィルム１０の所定位置（セクター２４）に、反射物体光を集光するフーリエ変換レンズ９０が配置されている。
【００７８】
次に、図９に示す文書記録装置の記録動作について説明する。
本実施の形態では、１枚の書類毎に、アナログホログラムとデジタルホログラムの両方を記録するが、記録する順序は問わない。アナログホログラムを記録した後でデジタルホログラムを記録してもよく、デジタルホログラムを記録した後でアナログホログラムを記録してもよい。
【００７９】
アナログホログラムを記録する場合には、シャッター６８を閉じると共にシャッター８４を開いて、光源６０からレーザ光を照射する。光源６０から発振されたレーザ光は、波長板６２により偏光方向が調整されて、偏光ビームスプリッタ６４に入射する。波長板６２は、入射した総ての光が偏光ビームスプリッタ６４により反射されるように、又は適切な強度の光が偏光ビームスプリッタ６４により反射されるように、入射したレーザ光の偏光方向を調整する。一部、偏光ビームスプリッタ６４を透過した光がある場合には、シャッター６８で遮断される。
【００８０】
偏光ビームスプリッタ６４で反射された光は、波長板７６により偏光方向が調整されて、偏光ビームスプリッタ７８に入射して分岐される。偏光ビームスプリッタ７８を透過した光（Ｐ偏光）は、波長板８０によりＳ偏光に変換されて、反射ミラー８２で反射される。このとき、波長板８０と反射ミラー８２の順序は逆でもよい。
【００８１】
反射ミラー８２で反射され、光路が折り曲げられた光は、シャッター８４を通過し、ビームエキスパンダ８６により大径の平行光に変換され、書類保持部８８に保持された書類全体に照射される。書類保持部８８に保持された書類からは、物体光が反射又は散乱される（反射物体光）。反射物体光はフーリエ変換レンズ９０によりフーリエ変換されて集光され、フィルム保持部７４に保持されたマイクロフィルム１０の所定位置（セクター２４）に照射される。上記の例では、Ｓ偏光の反射物体光がセクター２４に照射される。
【００８２】
一方、偏光ビームスプリッタ７８で反射された光は、回転ミラー９２によって、回転ミラー９２の回転角度に応じた所定方向に反射される。回転ミラー９２で反射された光は、一対のリレーレンズ９４、９６によりリレーされて、フィルム保持部７４に保持されたマイクロフィルム１０の所定位置（セクター２４）に、参照光として照射される。上記の例では、Ｓ偏光の参照光がセクター２４に照射される。参照光は反射物体光と同時に所定位置（セクター２４）に照射される。反射物体光と参照光とが照射される位置において、反射物体光と参照光とが干渉して形成された干渉縞が、アナログホログラムとして記録される。
【００８３】
デジタルホログラムを記録する場合には、シャッター６８を開くと共にシャッター８４を閉じて、光源６０からレーザ光を照射する。光源６０から発振されたレーザ光は、波長板６２により偏光方向が調整されて、偏光ビームスプリッタ６４に入射する。偏光ビームスプリッタ６４を透過した光は、ビームエキスパンダ６６により大径の平行光に変換され、シャッター６８を通過して、空間光変調器７０に照射される。
【００８４】
空間光変調器７０には、書類保持部８８に保持された書類のデジタルデータを明暗画像で表す表示パターンが表示されている。例えば、図３（Ｃ）に示す撮影証明書３０Ａが書類保持部８８に保持されている場合には、撮影証明書３０Ａのデジタルデータに対応した表示パターン７０Ａが、空間光変調器７０に表示される。表示パターンは、例えば、二値のデジタルデータ「０，１」が「暗（黒画素）、明（白画素）」で表現されたものである。
【００８５】
空間光変調器７０に入射した光は、表示パターンに応じて強度変調され、信号光が生成される。このとき、強度変調された信号光がＳ偏光となるように、空間光変調器７０を設定したり、適宜波長板を設けたりする。空間光変調器７０で変調されて生成された信号光は、フーリエ変換レンズ７２によりフーリエ変換されて集光され、フィルム保持部７４に保持されたマイクロフィルム１０の所定位置（セクター２４）に照射される。
【００８６】
一方、偏光ビームスプリッタ６４で反射された光は、波長板７６により偏光方向が調整されて、偏光ビームスプリッタ７８に入射する。波長板７６は、入射した総ての光が偏光ビームスプリッタ７８により反射されるように、又は適切な強度の光が偏光ビームスプリッタ７８により反射されるように、入射したレーザ光の偏光方向を調整する。偏光ビームスプリッタ７８により反射された光は、Ｓ偏光の参照光となる。一部、偏光ビームスプリッタ７８を透過した光がある場合には、シャッター８４で遮断される。
【００８７】
偏光ビームスプリッタ７８で反射され、光路が折り曲げられた光は、回転ミラー９２によって、回転ミラー９２の回転角度に応じた所定方向に反射される。回転ミラー９２で反射された光は、一対のリレーレンズ９４、９６によりリレーされて、フィルム保持部７４に保持されたマイクロフィルム１０の所定位置（セクター２４）に、参照光として照射される。上記の例では、Ｓ偏光の参照光がセクター２４に照射される。参照光は信号光と同時に所定位置（セクター２４）に照射される。信号光と参照光とが照射される位置において、信号光と参照光とが干渉して形成された干渉縞が、デジタルホログラムとして記録される。
【００８８】
本実施の形態では、上述したように、一連の書類群の全部（最初を表す書類２８、本文を表す書類２６、及び最後を表す書類３０）を撮影し、アナログホログラムの形式及びデジタルホログラムの形式で、マイクロフィルム１０の同じセクター２４に、１枚ずつ順次記録する（図８参照）。撮影される原文書の書類を、図示しない紙送り機構により１枚ずつ搬送して、順次、書類保持部８８に保持し、書類毎に、反射物体光と参照光とを干渉させてアナログホログラムを記録すると共に、信号光と参照光とを干渉させてデジタルホログラムを記録する。
【００８９】
１枚の書類のアナログホログラムとデジタルホログラムとは、同じ参照光を用いて、マイクロフィルム１０の同じ記録領域（セクター２４）に多重記録することが可能である。これにより、同じ記録領域内に、同じ書類の文書情報が、アナログ情報として記録されると共に、デジタル情報として記録される。同じ記録領域内には、アナログ情報とデジタル情報とが混在することになる。
【００９０】
同じ参照光を用いてアナログホログラムとデジタルホログラムとを記録した場合には、同じ参照光を読出し光として用いて、書類のアナログ画像とデジタルデータとを同時に再生することが可能となる。即ち、アナログホログラムとデジタルホログラムとが多重記録されたホログラム内では、アナログホログラムとして記録された書類は、デジタルホログラムとして記録された書類と同一の書類であることが保証される。従って、デジタルホログラムが、デジタルデータに変換された文書情報を基に記録されたものであっても、書類のアナログ画像と関連付けられているので、アナログホログラムから再生されたアナログ画像の見読性から、デジタルデータの証拠性が確保される。
【００９１】
詳しくは、アナログホログラムから再生された書類のアナログ画像は、マイクロフィルムにアナログ形式で縮小記録された書類の画像と同様に、人が判読可能なものであり、改ざんは困難である。また、デジタルホログラムから再生されたデジタルデータは、参照光により書類のアナログ画像と関連付けられているので、証拠性が確保される。なお、アナログホログラムとデジタルホログラムとで適宜参照光を変調する等して、異なる参照光を用いることもできる。
【００９２】
異なる書類については、例えば、回転ミラー９２を回転させて、書類毎に参照光の入射角度を変えることで、マイクロフィルム１０の同じ記録領域（例えば、セクター２４）に、一連の書類群の全部について、アナログホログラム及びデジタルホログラムを角度多重記録することができる。
【００９３】
記録されたデータを読み出す場合（再生）には、図１０に示したように、マイクロフィルム１０の光透過側に、アナログホログラムからの再生像を検出するためのフーリエ変換レンズ１１０及びセンサアレイ１１２を配置すると共に、デジタルホログラムからの再生像を検出するためのフーリエ変換レンズ１１４及びセンサアレイ１１６を配置する。そして、シャッター６８、８４を閉じて（図９参照）、光源６０からレーザ光を照射する。波長板６２、７６が調整され、シャッター６８、８４が閉じているので、他の分岐光は途中で遮断され、参照光だけがマイクロフィルム１０の記録領域（セクター２４）に照射される。図１０では、参照光の光路以外は省略して図示している。
【００９４】
光源６０から発振されたレーザ光は、波長板６２により偏光方向が調整されて、偏光ビームスプリッタ６４に入射する。偏光ビームスプリッタ６４で反射された光は、波長板７６により偏光方向が調整されて、偏光ビームスプリッタ７８に入射する。偏光ビームスプリッタ７８で反射され、光路が折り曲げられた光は、回転ミラー９２によって、回転ミラー９２の回転角度に応じた所定方向に反射される。回転ミラー９２で反射された光は、一対のリレーレンズ９４、９６によりリレーされて、フィルム保持部７４に保持されたマイクロフィルム１０の所定位置（セクター２４）に、読み出し用の参照光として照射される。
【００９５】
照射された参照光は、マイクロフィルム１０の記録領域を透過するときに、記録されたホログラムによって回折され、透過回折光が生成される。アナログホログラムから生成された透過回折光は、フーリエ変換レンズ１１０側に射出される。透過回折光は、フーリエ変換レンズ１１０により逆フーリエ変換されて、反射物体光が再生され、再生された反射物体光がセンサアレイ１１２に入射する。センサアレイ１１２の表面には、反射物体光が集光されて、書類のアナログ画像が結像される。センサアレイ１１２は、受光した光を電気信号に変換して出力する。この結果、書類のアナログ画像が撮像される。
【００９６】
デジタルホログラムから生成された透過回折光は、フーリエ変換レンズ１１４側に射出される。透過回折光は、フーリエ変換レンズ１１４により逆フーリエ変換されて、信号光が再生され、再生された信号光がセンサアレイ１１６に入射する。センサアレイ１１６の表面には、信号光が集光されて、書類のデジタル画像が結像される。センサアレイ１１６は、受光した光を電気信号に変換して出力する。この結果、書類のデジタル画像が撮像される。
【００９７】
センサアレイ１１６は、デジタル抽出フィルタ１１８を介して、制御部９８に接続されている。ホログラムを多重記録した結果として、センサアレイ１１６で撮像されたデジタル画像は、多くのノイズを含んでいる。このため、デジタル抽出フィルタ１１８により、デジタル画像を抽出してノイズを除去してからデジタルデータに復号し、復号されたデジタルデータを制御部９８に出力する。復号されたデジタルデータは、例えば、記憶部１０６に記憶しておくことができ、適宜、読み出して活用することが可能である。例えば、デジタルデータを用いて、キーワード検索やプリントアウトを行うこともできる。
【００９８】
また、既に説明したとおり、デジタルホログラムから再生されたデジタルデータは証拠性が保証されるので、識別コード等で識別される１枚の書類について、記憶部１０６に記憶されたデジタルデータを、デジタルホログラムから再生されたデジタルデータと照合することで、記憶されたデジタルデータの証拠性を証明することもできる。
【００９９】
また、マイクロフィルム１０の記録領域（セクター２４）に、複数枚分の書類のアナログホログラム及びデジタルホログラムが多重記録されている場合には、読み出したい書類（例えば、撮影証明書３０Ａ）の２種類のホログラムを記録したときと同じ参照光を照射する。例えば、複数枚分の書類のホログラムが角度多重記録されている場合には、回転ミラー９２の回転角度を調節して、撮影証明書３０Ａの２種類のホログラムを記録したときと同じ入射角度で、マイクロフィルム１０の記録領域に参照光を照射する。これにより、撮影証明書３０Ａのアナログ画像及びデジタル画像が再生される。
【０１００】
なお、上記の第２の実施の形態では、一連の書類群の全部（最初を表す書類２８、本文を表す書類２６、及び最後を表す書類３０）を、アナログホログラム及びデジタルホログラムの形式で、マイクロフィルム１０の同じセクター２４に多重記録する例について説明したが、第１の実施の形態と同様に、図１１に示すように、一連の書類群の一部（最初を表す書類２８及び最後を表す書類３０）を、従来通りアナログ形式でマイクロフィルム１０に記録し、本文を表す書類２６だけを、最初を表す書類２８のコマと、最後を表す書類３０を表すコマとの間にある、記録領域（セクター２４）に、アナログホログラム及びデジタルホログラムの形式で多重記録することができる。第１の実施の形態と同様に、見読性の観点から更に改ざんが困難になる。
【図面の簡単な説明】
【０１０１】
【図１】（Ａ）〜（Ｃ）はマイクロフィルムの種々の形態を示す図である。
【図２】マイクロフィルムの記録領域の構造を示す図である。
【図３】（Ａ）〜（Ｃ）はマイクロフィルム文書の書式の一例を示す図である。
【図４】第１の実施の形態に係る文書記録方法を説明するための概念図である。
【図５】第１の実施の形態に係る文書記録装置の構成を示す概略図である。
【図６】第１の実施の形態に係る文書記録方法で記録したホログラムの再生方法を説明する図である。
【図７】第１の実施の形態に係る文書記録方法の変形例を説明するための概念図である。
【図８】第２の実施の形態に係る文書記録方法を説明するための概念図である。
【図９】第２の実施の形態に係る文書記録装置の構成を示す概略図である。
【図１０】第２の実施の形態に係る文書記録方法で記録したホログラムの再生方法を説明する図である。
【図１１】第２の実施の形態に係る文書記録方法の変形例を説明するための概念図である。
【符号の説明】
【０１０２】
１０  マイクロフィルム（ロールフィルム）
１２  フィルム
１４  リール
１６  コマ
１８  コマ番号
２０  マイクロフィッシュ
２２  見出し欄
２４  セクター
２６  本文を表す書類
２８  最初を表す書類
２８Ｃ      撮影依頼票
３０  最後を表す書類
３０Ａ      撮影証明書
３２  光源（レーザ）
３４  波長板
３６  偏光ビームスプリッタ
３８  波長板
４０  反射ミラー
４２  シャッター
４４  ビームエキスパンダ
４６  書類保持部
４８  フーリエ変換レンズ
５０  フィルム保持部
５２  回転ミラー
５１  制御部
５４  リレーレンズ
５３  レーザ駆動部
５５  シャッター駆動部
５８  ミラー駆動部
６０  フーリエ変換レンズ
６０  光源（レーザ）
６２  センサアレイ（撮像素子）
６２  波長板
６４  偏光ビームスプリッタ
６６  ビームエキスパンダ
６８  シャッター
７０  回転ミラー
７０  空間光変調器
７０Ａ      表示パターン
７２  フーリエ変換レンズ
７４  フィルム保持部
７６  波長板
７８  偏光ビームスプリッタ
８０  波長板
８２  反射ミラー
８４  シャッター
８６  ビームエキスパンダ
８８  書類保持部
９０  フーリエ変換レンズ
９２  回転ミラー
９４  リレーレンズ
９８  制御部
１００      レーザ駆動部
１０２      シャッター駆動部
１０４      ミラー駆動部
１０６      記憶部
１０８      画像読取部
１１０      フーリエ変換レンズ
１１２      センサアレイ（撮像素子）
１１４      フーリエ変換レンズ
１１６      センサアレイ（撮像素子）
１１８      デジタル抽出フィルタ
【図１】
0004475335.tif 000002
【図２】
0004475335.tif 000003
【図３】
0004475335.tif 000004
【図４】
0004475335.tif 000005
【図５】
0004475335.tif 000006
【図６】
0004475335.tif 000007
【図７】
0004475335.tif 000008
【図８】
0004475335.tif 000009
【図９】
0004475335.tif 000010
【図１０】
0004475335.tif 000011
【図１１】
0004475335.tif 000012